(57)【要約】【課題】よりユーザにとって便利で且つ効率性に優れた画像出力装置及び画像記録出力システムを提供する。【解決手段】入力された画像データをフィルムに記録して出力する画像出力装置において、各トレイ内のフィルムの有無を検知するフィルム検知部２３と、前記画像データを出力するためのフィルムと同一サイズ及びタイプのフィルムが装填されているトレイＴである指定可能トレイが複数ある場合に、当該指定可能トレイのうち、フィルム検知部２３によりフィルムがあると検知された指定可能トレイの中から指定する制御部２１とを備えた。【選択図】　図１
2004115250.tif 000002
【特許請求の範囲】
【請求項１】
入力された画像データをフィルムに記録して出力する画像出力装置において、
前記画像データを出力するためのフィルムを供給するトレイを指定するトレイ指定手段と、
各トレイ内のフィルムの有無を検知する検知手段と、を備え、
前記トレイ指定手段は、
前記画像データを出力するためのフィルムと同一サイズ及びタイプのフィルムが装填されているトレイである指定可能トレイが複数ある場合に、当該指定可能トレイのうち、前記検知手段によりフィルムがあると検知された指定可能トレイの中から指定するように構成されていることを特徴とする画像出力装置。
【請求項２】
通信回線を介して接続された画像記録装置から前記画像データを受信する受信手段と、
前記検知手段により、前記複数の指定可能トレイの全てにフィルムがないと検知された場合に、エラー情報を作成する作成手段と、
前記作成手段により作成されたエラー情報を前記画像記録装置に送信する送信手段と、
を備えたことを特徴とする請求項１記載の画像出力装置。
【請求項３】
各トレイに装填された前記フィルムのサイズ及びタイプを検出する検出手段と、
前記検出手段により検出された各トレイのフィルムのサイズ及びタイプを記憶する記憶手段と、
前記記憶手段に記憶された各トレイのフィルムのサイズ及びタイプに基づいて、前記画像データを出力可能なフィルムを装填する指定可能トレイを特定する特定手段と、
を備えたことを特徴とする請求項１又は２の何れか一項に記載の画像出力装置。
【請求項４】
画像データを撮像して記録する画像記録装置と、前記画像記録装置から通信回線を介して入力した前記画像データをフィルムに記録して出力する画像出力装置と、を備える画像記録出力システムにおいて、
前記画像出力装置は、
前記画像データを出力するためのフィルムを供給するトレイを指定するトレイ指定手段と、
各トレイ内のフィルムの有無を検知する検知手段と、を備え、
前記トレイ指定手段は、
前記画像データを出力するためのフィルムと同一サイズ及びタイプのフィルムを装填しているトレイである指定可能トレイが複数ある場合に、複数の指定可能トレイのうち、前記検知手段によりフィルムがあると検知された指定可能トレイの中から指定するように構成されていることを特徴とする画像記録出力システム。
【請求項５】
前記画像出力装置は、
前記検知手段により、前記複数の指定可能トレイの全てにフィルムがないと検知された場合に、エラー情報を作成する作成手段と、
前記作成手段により作成されたエラー情報を前記画像記録装置に送信する送信手段と、
前記画像記録装置は、
前記送信手段により送信された前記エラー情報に基づいて、画像撮像動作を停止する停止制御手段を備えたことを特徴とする請求項４に記載の画像記録出力システム。
【発明の詳細な説明】
【０００１】
【発明の属する技術分野】
本発明は、画像データをフィルムに記録させて出力する画像出力装置および画像記録出力システムに関する。
【０００２】
【従来の技術】
従来、例えば、Ｘ線等の放射線を利用したＸ線撮影装置、ＲＩ（Ｒａｄｉｏ　Ｉｓｏｔｏｐｅ）装置、ＣＲ（Ｃｏｍｐｕｔｅｄ　Ｒａｄｉｏｇｒａｐｈｙ）装置、ＣＴ（Ｃｏｍｐｕｔｅｄ　Ｔｏｍｏｇｒａｐｈｙ）装置、超音波を利用した超音波撮影装置、磁気を利用したＭＲＩ（Ｍａｇｎｅｔｉｃ　Ｒｅｓｏｎａｎｃｅ　Ｉｍａｇｉｎｇ）装置等の各種の画像記録装置によって撮影して得られた被写体の画像データに基づき、被写体の画像を記録材料であるフィルムに可視像として出力させる画像記録出力システムが知られている（例えば、特許文献１参照）。
これら画像記録出力システムにおいては、各種画像記録装置によって撮影された画像データや、この画像データをフィルムに記録するための各種指定情報等がネットワークを介して画像出力装置に送信される。最近では、医療業界で標準化されているプロトコルであるＤＩＣＯＭ（Ｄｉｇｉｔａｌ　Ｉｍａｇｅ　ａｎｄ　Ｃｏｍｍｕｎｉｃａｔｉｏｎ　ｉｎ
Ｍｅｄｉｃｉｎｅ）を用いて行われることが多い。
この時、画像出力装置で使用されるフィルムは、画像記録装置別等により、出力フィルムサイズ及びタイプを切り替えて使われる。そのため、画像出力装置では、複数種類のフィルムが装填できるように複数のトレイを備える画像出力装置が使用されることが多い。
【０００３】
そして、画像出力装置の複数のトレイうち、あるトレイが用紙切れになった場合には、エラー状態となる。エラー状態の場合、画像記録装置からＤＩＣＯＭを用いて次の画像を送信しようとすると、エラー通知が画像出力装置から画像記録装置になされ、画像記録装置は撮影動作を中止するようになっている。
【０００４】
【特許文献１】
特開平１０−１９１１６５号公報（第１−２頁）
【０００５】
【発明が解決しようとする課題】
しかしながら、特許文献１に記載されたようなシステムでは、複数のトレイに同一のサイズ及びタイプのフィルムが装填されていたとしても、ある一つのトレイが用紙切れとなると、エラー状態となり、用紙切れになったトレイにフィルムを補給するか、或いは同一のサイズ及びタイプのフィルムが装填された別のトレイに手動で切り替えるかのどちらかを行わなければ、画像出力動作しないため、ユーザにとって煩雑であるとともに、装置自体の効率が悪いという問題があった。
また、エラー通知が画像記録装置に送られると、その度、撮影が中止となるため、画像記録出力システム全体の作業効率が悪かった。
【０００６】
本発明の課題は、よりユーザにとって便利で且つ効率性に優れた画像出力装置及び画像記録出力システムを提供することである。
【０００７】
【課題を解決するための手段】
上記課題を解決するため、
請求項１記載の発明は、入力された画像データをフィルムに記録して出力する画像出力装置において、
前記画像データを出力するためのフィルムを供給するトレイを指定するトレイ指定手段と、
各トレイ内のフィルムの有無を検知する検知手段と、を備え、
前記トレイ指定手段は、
前記画像データを出力するためのフィルムと同一サイズ及びタイプのフィルムが装填されているトレイである指定可能トレイが複数ある場合に、当該指定可能トレイのうち、前記検知手段によりフィルムがあると検知された指定可能トレイの中から指定するように構成されていることを特徴とする。
【０００８】
請求項１記載の発明によれば、指定可能トレイが複数ある場合に、当該指定可能トレイのうち、検知手段によりフィルムがあると検知された指定可能トレイの中から指定されるので、画像データを出力するためのフィルムと同一サイズ及びタイプのフィルムが装填されている複数の指定可能トレイを一元的に管理することができることとなる。従って、指定可能トレイのうち、一のトレイが空状態となっても他の一のトレイに自動的に切り替えることができることとなって、ユーザにとって便利になるとともに、画像出力動作の効率を向上させることができる。
【０００９】
請求項２記載の発明は、請求項１に記載の画像出力装置において、
通信回線を介して接続された画像記録装置から前記画像データを受信する受信手段と、
前記検知手段により、前記複数の指定可能トレイの全てにフィルムがないと検知された場合に、エラー情報を作成する作成手段と、
前記作成手段により作成されたエラー情報を前記画像記録装置に送信する送信手段と、
を備えたことを特徴とする。
【００１０】
請求項２記載の発明によれば、請求項１に記載の発明と同様の効果が得られることは無論のこと、特に、複数の指定可能トレイの全てにフィルムがないと検知された場合に、エラー情報が作成されて画像記録装置に送信されるので、例えば、トレイ毎にフィルムが無くなるとエラー情報が送信されて画像記録装置の撮影動作が中止となるようなことを防止することができることとなって、全体的な作業効率を更に向上させることができる。
【００１１】
請求項３記載の発明は、請求項１又は２の何れか一項に記載の画像出力装置において、
各トレイに装填された前記フィルムのサイズ及びタイプを検出する検出手段と、
前記検出手段により検出された各トレイのフィルムのサイズ及びタイプを記憶する記憶手段と、
前記記憶手段に記憶された各トレイのフィルムのサイズ及びタイプに基づいて、前記画像データを出力可能なフィルムを装填する指定可能トレイを特定する特定手段と、
を備えたことを特徴とする。
【００１２】
請求項３記載の発明によれば、請求項１又は２の何れか一項に記載の発明と同様の効果が得られることは無論のこと、特に、トレイに装填されるフィルムのサイズやタイプが検出手段により検出され、指定可能トレイが自動的に特定できるので、ユーザは指定可能トレイを予め設定していなくとてもよいこととなって、更に使いやすく、作業性を向上させることができる。
【００１３】
請求項４記載の発明は、画像データを撮像して記録する画像記録装置と、前記画像記録装置から通信回線を介して入力した前記画像データをトレイに装填されたフィルムに記録して出力する画像出力装置と、を備える画像記録出力システムにおいて、
前記画像出力装置は、
前記画像データを出力するためのフィルムを供給するトレイを指定するトレイ指定手段と、
各トレイ内のフィルムの有無を検知する検知手段と、を備え、
前記トレイ指定手段は、
前記画像データを出力するためのフィルムと同一サイズ及びタイプのフィルムを装填する指定可能トレイが複数ある場合に、複数の指定可能トレイのうち、前記検知手段によりフィルムがあると検知された指定可能トレイの中から指定するように構成されていることを特徴とする。
【００１４】
請求項４記載の発明によれば、画像データを出力するためのフィルムと同一サイズ及びタイプのフィルムが装填されている指定可能トレイが複数ある場合に、当該指定可能トレイのうち、検知手段によりフィルムがあると検知された指定可能トレイの中から指定されるので、画像データを出力するためのフィルムと同一サイズ及びタイプのフィルムが装填されている複数の指定可能トレイを一元的に管理することができることとなる。従って、指定可能トレイのうち、一のトレイが空状態となっても他の一のトレイに自動的に切り替えることができることとなって、ユーザにとって便利になるとともに、画像出力動作の効率を向上させることができる。
【００１５】
請求項５記載の発明は、請求項４記載の画像記録出力システムにおいて、
前記画像出力装置は、
前記検知手段により、前記複数の指定可能トレイの全てにフィルムがないと検知された場合に、エラー情報を作成する作成手段と、
前記作成手段により作成されたエラー情報を前記画像記録装置に送信する送信手段と、
前記画像記録装置は、
前記送信手段により送信された前記エラー情報に基づいて、画像記録動作を停止する停止制御手段をを備えたことを特徴とする。
【００１６】
請求項５記載の発明によれば、請求項４記載の発明と同様の効果が得られることは無論のこと、特に、複数の指定可能トレイの全てにフィルムがないと検知された場合に、エラー情報が作成されて画像記録装置に送信され、画像記録装置の画像記録動作が停止されるので、トレイ毎にフィルムが無くなるとエラー情報が送信されて画像記録装置の撮影動作が中止となるようなことを防止することができることとなって、システム全体の作業効率を更に向上させることができる。
【００１７】
【発明の実施の形態】
以下、図を参照して本発明の実施の形態を詳細に説明する。
【００１８】
図１は、本発明にかかる画像記録出力システム構成及び各構成の要部ブロックを示す図である。
図１に示すように、画像記録出力システム１は、画像データを撮像して記録する画像記録装置１０と、画像記録装置１０から通信ネットワークＮを介して入力した前記画像データをフィルムに記録して出力する画像出力装置２０と、を備えて構成される。
【００１９】
通信ネットワークＮは、例えばＬＡＮ（Ｌｏｃａｌ　Ａｒｅａ　Ｎｅｔｗｏｒｋ）等のネットワークであり、ＷＡＮ（Ｗｉｄｅ　Ａｒｅａ　Ｎｅｔｗｏｒｋ）を含めてもよく、電話回線網、ＩＳＤＮ回線網、広域帯通信回線網、専用線、移動体通信網、通信衛星回線、ＣＡＴＶ回線、光通信回線、無線通信回線と、それらを接続するインターネットサービスプロバイダ等を含む構成でもよい。
【００２０】
画像記録装置１０は、例えば、人体等の被写体をＸ線ＣＴ、ＭＲＩ、ＤＲ等によって医療診断用の画像データを撮像する装置であり、制御部１１、撮像部１２、記録部１３、通信制御部１４、などを備え、各部はバス等により接続されている。
制御部１１は、図示しないが、ＣＰＵ（Ｃｅｎｔｒａｌ　Ｐｒｏｃｅｓｓｉｎｇ　Ｕｎｉｔ）、ＲＡＭ（Ｒａｎｄｏｍ　Ａｃｃｅｓｓ　　Ｍｅｍｏｒｙ）、ＲＯＭ（Ｒｅａｄ　Ｏｎｌｙ　Ｍｅｍｏｒｙ）を備えており、ＲＯＭ内に記録された各種制御プログラムをＲＡＭに展開して、撮像部１２で撮像された画像信号に基づく画像データの画像処理、画像データの画像出力装置２０への画像データ出力処理等の各種処理を実行する。
また、制御部１１は、停止制御手段として、画像出力装置２０から送信されたエラー信号の入力に基づいて、撮像部１２による撮像動作を停止する制御を行う。
【００２１】
撮像部１２は、被写体をＸ線、ＣＴ、ＭＲＩ、ＤＲ等で撮像して得た画像信号を制御部１１に出力する。
記録部１３は、撮像部１２にから出力された画像信号に基づいて、制御部１１により所定の画像処理が施された画像データを記録する。
通信制御部１４は、通信ネットワークＮを介して、画像出力装置２０との通信を行うためのネットワークカード、モデム、ＴＡ、ルータ等によって構成され、画像データを画像出力装置２０に送信したり、或いは画像出力装置２０からのエラー信号を受信する。
【００２２】
画像出力装置２０は、画像出力装置２０を統括制御し、各種処理および判断等を行う制御部２１を備えており、その制御部２１には、トレイ検知部２２、フィルム検知部２３、操作部２４、表示部２５、バーコード読取部２６、記憶部２７、通信制御部２８等がバスなどを介して接続されている。
また、画像出力装置２０は、複数のトレイＴ１、トレイＴ２、トレイＴ３・・・を備えるトレイ部２９を有する。
【００２３】
制御部２１は、図示しないが、制御、判断等各種処理用の各種プログラムや、各種データが記録、格納されたＲＯＭと、各種処理におけるワークメモリとして使用されるＲＡＭとで構成されている。
この制御部２１は、トレイ検知部２２、フィルム検知部２３等の検知信号等に基づく制御、判断等各種処理を行い、また、表示部２５における各フィルムのサイズ及びタイプ設定表示や、その他各種の表示の制御等を行う。
ここで、フィルムのサイズとは、例えば、半切、大四、大角、四切、六切等の各種サイズをいい、タイプとは、例えば、ベース色等をいう。
【００２４】
制御部２１は、フィルム検知部２３の検知信号に基づく各トレイＴにおけるフィルムの有無の判断等に基づき、トレイＴへのフィルムの補給を促すメッセージ表示等を表示部２５に表示させる制御を行う。
また、制御部２１は、トレイ指定手段として、通信ネットワークＮを介して画像記録装置１０から入力された画像データを出力するためのフィルムを供給するトレイＴを指定する処理を行う。
この際、制御部２１は、特定手段として、記憶部２７に記憶された各トレイＴのフィルムデータに基づいて、画像データを出力するためのフィルムと同一サイズ及びタイプのフィルムが装填されているトレイＴを指定可能トレイとして特定する。そして、制御部２１は、特定した指定可能トレイが複数あると判断した場合には、当該指定可能トレイのうち、フィルム検知部によりフィルムがあると検知された指定可能トレイの中から指定する。
【００２５】
また、制御部２１は、フィルム検知部２３による検知信号に基づいて、複数の指定可能トレイの全てにフィルムがないと検知された場合に、エラー信号を作成する処理を行う。
そして、制御部２１は、作成したエラー信号を画像記録装置１０に通信制御部２８を介して送信する制御を行う。
【００２６】
トレイ検知部２２は、画像出力装置２０における各トレイＴが、装着位置に装着されているか、装着位置から抜き出されているか、検知するように構成されたものであり、例えば、フォトセンサ、接触スイッチセンサ等である。
フィルム検知部２３は、検知手段であり、具体的には、各トレイＴの給紙位置における用紙の有無や、給紙可能な状態であるかどうかを検知するように構成された、例えば、フォトセンサ等のセンサである。そして、各トレイＴの給紙位置に用紙が無い場合や、給紙可能な状態でない場合、検知信号を制御部２１に出力する。
【００２７】
操作部２４は、画像出力装置２０の設定や運転動作指示を入力するように構成されたものであり、例えば、キー入力部、リモコン等である。
表示部２５は、例えば、ＬＣＤなどにより構成され、その表示画面に画像出力装置１００の設定、機能、運転状態等を表示する。
なお、操作部２４が、タッチパネルである場合、表示部２５は操作部２４の機能を兼ね備える構成となる。
【００２８】
バーコード読取部２６は、検出手段として、各トレイに装填されたフィルムに貼付されたバーコードのデータを読み取り、読み取ったバーコードデータを制御部２１に出力する。
ここで、バーコードデータには、当該フィルムのサイズ及びタイプに関するデータが記録されている。
【００２９】
記憶部２７は、記憶手段であり、プログラムやデータが予め記憶された記録媒体（図示省略）有している。この記録媒体は、磁気的、光学的記録媒体、もしくは半導体メモリで構成され、記憶部１６に固定的に設けられるもの、若しくは着脱自在に装着するものである。
この記録媒体には、バーコード読取部２６により読み取られたバーコードデータが各トレイと対応付けられて記録される。即ち、記憶部２７には、各トレイＴに装填されたフィルムのサイズ及びタイプが記憶されている。
【００３０】
通信制御部２８は、通信ネットワークＮを介して、画像記録装置１０との通信を行うためのネットワークカード、モデム、ＴＡ、ルータ等によって構成され、画像データを画像記録装置１０から受信したり、或いは画像記録装置１０にエラー信号を送信する。
【００３１】
次に、以上のように構成された画像記録出力システム１における画像記録出力処理について、図２のフローチャートを用いて説明する。
図２に示すように、まず、画像記録装置１０の撮像部１２は、被写体を撮像して画像データを生成する（ステップＳ１）。次いで、画像記録装置１０の通信制御部１４は、撮像された画像データを、通信ネットワークＮを介して画像出力装置２０に送信する（ステップＳ２）。
すると、画像出力装置２０の通信制御部２８は、当該画像データを受信して（ステップＳ３）、制御部２１のＲＡＭ内に一時的に保存する。
【００３２】
次いで、制御部２１は、受信した画像データに含まれる出力フィルムのサイズ及びタイプに関するデータから、出力可能なフィルムが装填されたトレイＴを指定可能トレイとして特定する（ステップＳ４）。より具体的には、記憶部２７に記憶された各トレイに装填されたフィルムサイズ及びタイプのデータと、受信した画像データに含まれる出力フィルムのサイズ及びタイプに関するデータとを照らし合わせて、合致するトレイを指定可能トレイとして特定する。ここでは、例えば、図１のトレイＴ１とトレイＴ２が指定可能トレイとして特定されたものとする。
【００３３】
次いで、制御部２１は、フィルム検知部２３による検知結果に基づいて、指定可能トレイであるトレイＴ１にフィルムが供給可能な状態で装填されているか否かを判別し（ステップＳ５）、フィルムが供給可能な状態で装填されていると判断した場合（ステップＳ５；Ｙｅｓ）には、フィルムＴ１からフィルムを給紙させて画像出力処理を実行する（ステップＳ６）。一方、制御部２１は、フィルムが供給可能な状態で装填されていないと判断した場合（ステップＳ５；Ｎｏ）には、トレイＴ１にフィルムが装填していない旨を報知する表示を表示部２５に表示させるとともに、図示しない音声出力部により、警告音を出力する（ステップＳ７）。
【００３４】
次いで、制御部２１は、フィルム検知部２３による検知結果に基づいて、指定可能トレイであるトレイＴ２にフィルムが供給可能な状態で装填されているか否かを判別し（ステップＳ８）、フィルムが供給可能な状態で装填されていると判断した場合（ステップＳ８；Ｙｅｓ）には、フィルムＴ２からフィルムを給紙させて画像出力処理を実行する（ステップＳ６）。一方、制御部２１は、フィルムが供給可能な状態で装填されていないと判断した場合（ステップＳ８；Ｎｏ）には、トレイＴ２にフィルムが装填していない旨を報知する表示を表示部２５に表示させるとともに、図示しない音声出力部により、警告音を出力する（ステップＳ９）。
【００３５】
次いで、制御部２１は、エラー信号を生成して（ステップＳ１０）、当該エラー信号を通信制御部２８を介して画像記録装置１０に送信する（ステップＳ１１）。
すると、画像記録装置１０では、通信制御部１４を介して当該エラー信号を受信し（ステップＳ１２）、制御部１１は、受信したエラー信号に基づいて、撮像部１２による画像撮像動作を停止し（ステップＳ１３）、本処理を終了する。
【００３６】
以上説明した本発明の実施の形態に係る画像記録出力システム１及び画像出力装置２０によれば、画像データを出力するためのフィルムと同一サイズ及びタイプのフィルムが装填されている指定可能トレイが複数ある場合に、当該指定可能トレイのうち、フィルム検知部２３によりフィルムがあると検知された指定可能トレイの中から指定されるので、画像データを出力するためのフィルムと同一サイズ及びタイプのフィルムが装填されている複数の指定可能トレイを一元的に管理することができることとなる。従って、指定可能トレイのうち、一のトレイが空状態となっても他の一のトレイに自動的に切り替えることができることとなって、ユーザにとって便利になるとともに、画像出力動作の効率を向上させることができる。
【００３７】
また、複数の指定可能トレイの全てにフィルムがないと検知された場合に、エラー情報が作成されて画像記録装置１０に送信され、画像記録装置１０の画像記録動作が停止されるので、トレイ毎にフィルムが無くなるとエラー情報が送信されて画像記録装置１０の撮影動作が中止となるようなことを防止することができることとなって、システム全体の作業効率を更に向上させることができる。
更に、トレイに装填されるフィルムのサイズやタイプがバーコード読取部２６により検出され、指定可能トレイが自動的に特定できるので、ユーザは指定可能トレイを予め設定していなくとてもよいこととなって、更に使いやすく、作業性を向上させることができる。
【００３８】
なお、本発明に係る画像記録出力システム及び画像出力装置は、上記した実施の形態にかかるものに限るものではなく、本発明の目的及び効果を奏する範囲内での変更は可能である。
例えば、指定可能トレイの特定は、フィルムに貼付されたバーコードを読み取ることにより自動的に行う構成としたが、操作部２６を用いて手動で特定してもよい。
指定可能トレイの優先順位は任意であり、予め設定されていてもよいし、或いは操作部の操作により設定してもよい。
【００３９】
【発明の効果】
請求項１記載の発明によれば、指定可能トレイが複数ある場合に、当該指定可能トレイのうち、検知手段によりフィルムがあると検知された指定可能トレイの中から指定されるので、画像データを出力するためのフィルムと同一サイズ及びタイプのフィルムが装填されている複数の指定可能トレイを一元的に管理することができることとなる。従って、指定可能トレイのうち、一のトレイが空状態となっても他の一のトレイに自動的に切り替えることができることとなって、ユーザにとって便利になるとともに、画像出力動作の効率を向上させることができる。
【００４０】
請求項２記載の発明によれば、請求項１に記載の発明と同様の効果が得られることは無論のこと、特に、複数の指定可能トレイの全てにフィルムがないと検知された場合に、エラー情報が作成されて画像記録装置に送信されるので、例えば、トレイ毎にフィルムが無くなるとエラー情報が送信されて画像記録装置の撮影動作が中止となるようなことを防止することができることとなって、全体的な作業効率を更に向上させることができる。
【００４１】
請求項３記載の発明によれば、請求項１又は２の何れか一項に記載の発明と同様の効果が得られることは無論のこと、特に、トレイに装填されるフィルムのサイズやタイプが検出手段により検出され、指定可能トレイが自動的に特定できるので、ユーザは指定可能トレイを予め設定していなくとてもよいこととなって、更に使いやすく、作業性を向上させることができる。
【００４２】
請求項４記載の発明によれば、画像データを出力するためのフィルムと同一サイズ及びタイプのフィルムが装填されている指定可能トレイが複数ある場合に、当該指定可能トレイのうち、検知手段によりフィルムがあると検知された指定可能トレイの中から指定されるので、画像データを出力するためのフィルムと同一サイズ及びタイプのフィルムが装填されている複数の指定可能トレイを一元的に管理することができることとなる。従って、指定可能トレイのうち、一のトレイが空状態となっても他の一のトレイに自動的に切り替えることができることとなって、ユーザにとって便利になるとともに、画像出力動作の効率を向上させることができる。
【００４３】
請求項５記載の発明によれば、請求項４記載の発明と同様の効果が得られることは無論のこと、特に、複数の指定可能トレイの全てにフィルムがないと検知された場合に、エラー情報が作成されて画像記録装置に送信され、画像記録装置の画像記録動作が停止されるので、トレイ毎にフィルムが無くなるとエラー情報が送信されて画像記録装置の撮影動作が中止となるようなことを防止することができることとなって、システム全体の作業効率を更に向上させることができる。
【図面の簡単な説明】
【図１】本発明にかかる画像記録出力システム構成及び各構成の要部ブロックを示す図である。
【図２】本発明にかかる画像記録出力処理を説明するためのフローチャートである。
【符号の説明】
１　　画像記録出力システム
１０　　画像記録装置
１１　　制御部（停止制御手段）
１２　　撮像部
１３　　記録部
１４　　通信制御部
２０　　画像出力装置
２１　　制御部（トレイ指定手段、作成手段、特定手段）
２３　　フィルム検知部（検知手段）
２５　　表示部
２７　　記憶部
２８　　通信制御部（送信手段、受信手段）
２９　　トレイ部
Ｎ　　通信ネットワーク
Ｔ　　トレイ
【図１】
2004115250.tif 000003
【図２】
2004115250.tif 000004